(57)【特許請求の範囲】
【請求項１】
建物の壁面に取付けられる底板およびこの底板の周縁に立設された側板を有する箱体と、この箱体の前記底板と反対側に形成される開口を閉塞する蓋体とを備え、前記箱体の側板のうち地面側に位置する側板および上下方向に延びる前記側板に前記蓋体の縁部を載せる突条を有し、この突条よりも前記開口の外方に突出して前記蓋体の内面に位置する内側突条を、前記箱体の全周に有するとともに前記突条に対して前記突条の内側に溝を介して平行に有し、前記箱体は前記建物の天井側に位置する前記側板より前記蓋体の上方に延びる屋根を有し、前記建物の天井側に位置する前記側板と前記屋根との間に、前記開口側から前記建物の壁面側に向けて貫通する貫通孔を有する防水型ケース。
【請求項２】
前記突条および前記溝の少なくとも一方の地面側に水抜き孔を設けた請求項１記載の防水型ケース。
【請求項３】
前記建物の天井側に位置する前記側板の上面を、前記開口側から前記底板側にかけて地面側に傾斜した請求項１記載の防水型ケース。
【発明の詳細な説明】
【０００１】
【発明の属する技術分野】
この発明は、電気機器等を収納し水気のある場所に使用される防水型ケースに関するものである。
【０００２】
【従来の技術】
第１の従来例を図１８に示す。すなわち、この防水型ケースは、底板１０２および底板１０２の周縁に立設された側板１０３を有する箱体１００と、蓋体１０１とを備え、蓋体１０１の縁部を載せる段部１０４および蓋体１０１の内側に嵌合する嵌合突条１０５を側板１０３の開口縁に設けている。
【０００３】
第２の従来例（たとえば実開平5-62125 号) を図１９に示す。すなわち、この防水型ケースは、箱体１００が側壁１０３の外側に溝１０６を介して背の高い外壁１０７を設け、溝１０６の底面に水抜き孔１０８を形成している。一方、蓋体１０１が溝１０６に嵌合する嵌合部１０８と外壁１０７に被さる冠合片１０９を有している。
【０００４】
【発明が解決しようとする課題】
第１の従来例は、段部１０４および嵌合突条１０５と蓋体１０１との隙間から箱体１００の内部に水が浸入してしまうという欠点があった。
第２の従来例は、嵌合部１０８が溝１０６に嵌合しているため、水をためるスペースが溝１０６になく、したがって箱体１００と蓋体１０１の隙間を通し側板１０３を乗り越えて箱体１００の内部の底板側に水が溢れる恐れがあった。
【０００５】
したがって、この発明の目的は、箱体および蓋体の隙間から水が浸入しても水を素早く箱体の外に排水し箱体の内部に浸入するのを防止することができる防水型ケースを提供することである。
【００１２】
【課題を解決するための手段】
請求項１記載の防水型ケースは、建物の壁面に取付けられる底板およびこの底板の周縁に立設された側板を有する箱体と、この箱体の前記底板と反対側に形成される開口を閉塞する蓋体とを備え、前記箱体の側板のうち地面側に位置する側板および上下方向に延びる前記側板に前記蓋体の縁部を載せる突条を有し、この突条よりも前記開口の外方に突出して前記蓋体の内面に位置する内側突条を、前記箱体の全周に有するとともに前記突条に対して前記突条の内側に溝を介して平行に有し、前記箱体は前記建物の天井側に位置する前記側板より前記蓋体の上方に延びる屋根を有し、前記建物の天井側に位置する前記側板と前記屋根との間に、前記開口側から前記建物の壁面側に向けて貫通する貫通孔を有するものである。
【００１３】
請求項１記載の防水型ケースによれば、蓋体と箱体との隙間から水が浸入した場合、突条と溝との間に水が溜まるが、この溜まった水の水位が突条よりも高くなると、蓋体の縁部と突条との間から水が外部に排水される。このため、箱体および蓋体の隙間から水が浸入しても、水を素早く箱体の外に排水し箱体の内部に浸入するのを防止することができる。また屋根と内側突条との間に浸入した水が貫通孔を通して建物の壁面側からスムースに排水される。
【００１４】
請求項２記載の防水型ケースは、請求項１において、前記突条および前記溝の少なくとも一方の地面側に水抜き孔を設けたものである。
請求項２記載の防水型ケースによれば、請求項１の効果のほか、溝に溜まった水が水抜き孔を通してスムースに箱体外に流れでることができる。
【００１５】
請求項３記載の防水型ケースは、請求項１において、前記建物の天井側に位置する前記側板の上面を、前記開口側から前記底板側にかけて地面側に傾斜したものである。
【００１６】
請求項３記載の防水型ケースによれば、請求項１の効果よりも箱体外にさらにスムースに排水しやすい。
【００１７】
【発明の実施の形態】
この発明の第１の実施の形態を図１ないし図７により説明する。すなわち、この防水型ケースは、箱体１と、蓋体４とを有する。
箱体１は、建物の壁面（図示せず）に取付けられる底板６およびこの底板６の周縁に立設された側板１ａ〜１ｄを有し、蓋体４は箱体１の底板６と反対側に形成される開口５を閉塞する。
【００１８】
そして、蓋体４の縁部を載せる段部５０を側板１ａ〜１ｄの開口縁に有し、蓋体４の縁部の内側に嵌合する嵌合突条５１を側板１ａ〜１ｄの開口縁に有し、側板１ａ〜１ｄの内側で、嵌合突条５１よりも開口５の外方に突出した内側突条５２を溝５３を介して嵌合突条５１と平行に設けている。
また、箱体１は建物の天井側の側板１ａより蓋体４の上方に延びる屋根８を設け、天井側の側板１ａの内側突条５２ａは図４に示すように中央部５２ａ′を天井側に近づく頂部とする山形に形成し、内側突条５２ａに合わせて天井側の段部５０、嵌合突条５１および溝５３も内側突条５２ａと同形状となるように内側突条５２ａと平行に形成している。
【００１９】
さらに、内側突条５２は箱体１の全周に有するもので、地面側の側板１ｃの嵌合突条５１に溝５３の上下方向に延びる部分の下端位置に連通する水抜き孔５４を形成し、この水抜き孔５４に整合する蓋側水抜き孔５５を蓋体４に切欠により形成している。
箱体１において、７は通線部、１１は遮断器取付部、１９は蓋体４の係止部、２０は鍵穴、２５は軸受けである。
【００２０】
２は漏電遮断器を用いた回路遮断器であり、箱体１の取付孔１８に挿入されたねじ（図示せず）により底部６の遮断器取付部１１に取付けられている。この回路遮断器２において、１４は操作ハンドル、１５は端子、１６は漏電試験用押釦スイッチ、１７は漏電電流が流れることにより突出表示する表示部である。
３は表示ハンドルであり、両側に挟持片２６，２７を有する平板部２８と、操作ハンドル１４に係合する凹部２２を有するハンドル部２９と、オン，オフの表示部３０，３１と、漏電試験用押釦スイッチ１６および表示部１７を露出する長孔３２とを有する。
【００２１】
蓋体４において、２０′は鍵穴２０に整合する鍵穴、３５は軸受け、３６は軸受け２５，３５に嵌合する軸、３７は係止部１９に係合する係合部、３９は透明なカバー、４０は把手、４１は防水パッキンである。
９は保持部材であり、保持部材９において、１０（図２）は底部６の遮断器取付部１１に載置される底板、１２は側板、１３は取付孔、９ａは保持部である。底板１０上に回路遮断器２が載せられて取付孔１８，１３を通してねじにより取付部１１に取付けられる。また保持部９ａに表示ハンドル３の挟持片２６，２７がスライド自在に挟持し、このとき係合部２２に操作ハンドル１４が係合する。表示ハンドル３の操作は蓋体４を開いて行う。
【００２２】
第１の実施の形態によれば、蓋体４と箱体１の隙間から水が浸入して嵌合突条５１を超えても水が溝５３に溜まり、溝５３に溜まった水の水位が嵌合突条５１よりも高くなると嵌合突条５１と蓋体４の隙間より水が外部に放水され、内側突条５２から箱体１の内方に水が浸入するのを防止する。
また建物の天井側の側板１ａより蓋体４の上方に延びる屋根８を設けたため、側板１ａと蓋体４との隙間より雨水が浸入しにくくなり、防水効果を高められる。
【００２３】
さらに内側突条５２が箱体１の全周に有し、地面側の側板１ａの嵌合突条５１に溝５３に連通する水抜き孔５４を形成し、この水抜き孔５４に整合する蓋側水抜き孔５５を蓋体４に形成したため、溝５３に溜まった水が水抜き孔５４および蓋側水抜き孔５５よりスムースに箱体１外に流下するので、排水効果がよい。
また天井側の側板１ａの内側突条５２は中央部を天井側に近づく頂部とする山形に形成されているため、天井側の溝５３に溜まった水がスムースに上下方向に延びた溝５３に流れ、下方に落下しやすい。
【００２４】
この発明の第２の実施の形態を図８および図９に示す。すなわち、この防水型ケースは、第１の実施の形態において、箱体１の地面側の側板１ｂに対向する内側突条５２を設けていない例であり、側板１ｂには嵌合突条５１および段部５０のみが形成されている。また溝５３は天井側の側板１ａおよび上下方向に延びた側板１ｃ，１ｄのみに形成され、両側の溝５３の下端部５３ａが図９に示すように開放されている。
【００２５】
このため、溝５３の下端部より箱体１と蓋体４の隙間を通して水が外部に落下しやすく、上下方向に延びた溝５３の水が溝５３に沿って流下しやすい。
その他の構成および作用効果は第１の実施の形態と同様である。
この発明の第３の実施の形態を図１０に示す。すなわち、この防水型ケースは、第１の実施の形態において、溝５３にゴムを一例とする水切り弾性体５７を密着収納し蓋体４の内面で押さえたものである。５８は水切り弾性体５７の押さえ突条５８であり、蓋体４の内面に形成している。
【００２６】
このため、水切り弾性体５７の一端が溝５３に密着するとともに、他端が蓋体４の内面に密着し、水が水切り弾性体５７に遮断されて箱体１の内方に浸入しにくくなる。また弾性体であるため溝５３に装着しやすくかつ液密に密着しやすい。その他の構成および作用効果は第１の実施の形態と同様である。
この発明の第４の実施の形態を図１１ないし図１６に示す。すなわち、この防水型ケースは、第１の実施の形態と同様に、建物の壁面（図示せず）に取付けられる底板６およびこの底板６の周縁に立設された側板１ａ〜１ｄを有する箱体１と、この箱体１の底板６と反対側に形成される開口５を閉塞する蓋体４とを備え、箱体１は建物の天井側に位置する側板１ａより蓋体４の上方に延びる屋根８を有している。
【００２７】
そして、箱体１の側板１ａ〜１ｄのうち地面側に位置する側板１ｂおよび上下方向に延びる側板１ｃ，１ｄに蓋体４の縁部８１を載せる突条８０を設けている。実施の形態では側板１ｂ，１ｃについては全長に延びているが、図１４に示すように側板１ｄについては軸受け２５，３５を考慮して、縦方向の上下端部を除く中間部のみに形成している。また突条８０よりも開口５の外方に突出して蓋体４の内面に位置する内側突条８２を、箱体１の全周に設けるとともに、突条８０に対して突条８０の内側に溝８３を介して平行に設けている。これにより、蓋体４と箱体１との隙間から水が浸入した場合、突条８０と溝８３との間に水が溜まるが、この溜まった水の水位が突条８０よりも高くなると、蓋体４の縁部８１と突条８０との間から水が外部に排水される。このため、箱体１および蓋体４の隙間から水が浸入しても、水を素早く箱体１の外に排水し箱体１の内部に浸入するのを防止することができる。
【００２８】
また、図１４に示すように溝８３の地面側に水抜き孔８４を設け、これにより溝８３に溜まった水が水抜き孔８４を通してスムースに箱体１外に流れでることができる。
さらに、建物の天井側に位置する側板１ａと屋根８との間に、図１３に示すように、開口５側から建物の壁面側に向けて貫通する貫通孔８５を有しており、これにより屋根８と内側突条８２との間に浸入した水が貫通孔８５を通して建物の壁面側からスムースに排水される。
【００２９】
なお、１１′は側部４６の取付ねじ６０が螺合する雌ねじ部、４５は絶縁性保持部材であり、一対の側部４６と連結部４７とによりＵ字形に形成している。４８は側部４６に設けた載置片、４９は補強リブ、５１はハンドル部２９を突出させる連結部４７の孔、５２は垂片、５３は平板２８をスライド自在に保持する案内突起、５３ａは平板２８を案内突起５３に係合する際に案内するための傾斜面、５８は操作ハンドル１４の係合部、６１はスイッチ１６および状態表示部１７を露出する孔、６３は定格表示部、６５は凹部、６６は透明カバー３９の破壊容易な破壊容易部、６７は凹部６５の周縁の枠状の溝、６８は透明カバー３９の溝６７に嵌合する突条、７０，７１は結露防止孔、７２は箱体１の底板６の壁面取付孔、７３は回路遮断器２の取付ねじである。その他、第１の実施の形態と共通する部分に同一符号を付している。
【００３０】
また、水抜き孔８４は溝８３の地面側に形成したが、突条８０の地面側に設けてもよい。
この発明の第５の実施の形態を図１７に示す。すなわち、この防水型ケースは、第３の実施の形態において、建物の天井側に位置する側板１ａの上面に、開口５側から底板６側にかけて地面側に傾斜する傾斜面１ａ′を形成しており、これにより第４の実施の形態よりも箱体１外にさらにスムースに排水しやすくなる。その他は第３の実施の形態と同様である。
【００３１】
なお、側板１ａの上面のみに傾斜面１ａ′を形成しているが、側板１ａの全体を斜めに形成してその上面に傾斜面１ａ′を形成するようにしてもよい。
【００３５】
【発明の効果】
請求項１記載の防水型ケースによれば、蓋体と箱体との隙間から水が浸入した場合、突条と溝との間に水が溜まるが、この溜まった水の水位が突条よりも高くなると、蓋体の縁部と突条との間から水が外部に排水される。このため、箱体および蓋体の隙間から水が浸入しても、水を素早く箱体の外に排水し箱体の内部に浸入するのを防止することができる。また屋根と内側突条との間に浸入した水が貫通孔を通して建物の壁面側からスムースに排水される。
【００３６】
請求項２記載の防水型ケースによれば、請求項１の効果のほか、溝に溜まった水が水抜き孔を通してスムースに箱体外に流れでることができる。
【００３７】
請求項３記載の防水型ケースによれば、請求項１の効果よりも箱体外にさらにスムースに排水しやすい。
【図面の簡単な説明】
【図１】この発明の第１の実施の形態の開蓋状態で表示ハンドルを外した状態の斜視図である。
【図２】その分解斜視図である。
【図３】防水型ケースの断面図である。
【図４】箱体の部分拡大正面図である。
【図５】防水型ケースの斜視図である。
【図６】底面図である。
【図７】右側面図である。
【図８】第２の実施の形態の断面図である。
【図９】開蓋状態の正面図である。
【図１０】第３の実施の形態の断面図である。
【図１１】第４の実施の形態の斜視図である。
【図１２】その開蓋状態の斜視図である。
【図１３】断面図である。
【図１４】開蓋状態の平面図である。
【図１５】図１３と直交する方向の断面図である。
【図１６】分解斜視図である。
【図１７】第５の実施の形態の部分断面図である。
【図１８】第１の従来例の部分断面図である。
【図１９】第２の従来例の部分断面図である。
【符号の説明】
１    箱体
１ａ〜１ｄ    側板
４    蓋体
６    底板
８    屋根
５０    段部
５１    嵌合突条
５２    内側突条
５３    溝
５４    水抜き孔
５５    蓋側水抜き孔
５７    水切り弾性体
８０    突条
８１    縁部
８２    内側突条
８３    溝
８４    水抜き孔
８５    貫通孔
【図１】
0003684648.tif 000002
【図２】
0003684648.tif 000003
【図３】
0003684648.tif 000004
【図４】
0003684648.tif 000005
【図５】
0003684648.tif 000006
【図６】
0003684648.tif 000007
【図７】
0003684648.tif 000008
【図８】
0003684648.tif 000009
【図９】
0003684648.tif 000010
【図１０】
0003684648.tif 000011
【図１１】
0003684648.tif 000012
【図１２】
0003684648.tif 000013
【図１３】
0003684648.tif 000014
【図１４】
0003684648.tif 000015
【図１５】
0003684648.tif 000016
【図１６】
0003684648.tif 000017
【図１７】
0003684648.tif 000018
【図１８】
0003684648.tif 000019
【図１９】
0003684648.tif 000020